(57)【要約】      （修正有）【課題】柄やサイズが豊富で使用者の嗜好に合わせやすい市販の普通のこたつ用掛け布団でも、こたつ本体に対し、ずれないように天板と共に止めることができ、しかも掃除や洗濯をする際のこたつ用掛け布団の着け外しも簡単にできる、布団止め構造を有するこたつを提供する。【解決手段】布団止め構造を有するこたつＡ１は、上枠１０と、上枠１０を支える脚１５と、ヒーター３を有し、上枠１０に設けられ縦横方向の部材で枠組みされた中枠１２を有するこたつ本体１と、下面側に中枠１２の縦横方向の部材間の空間に対応し中枠１２の縦横方向の部材と協働してこたつ用掛け布団を上下に曲げるようにして挟む嵌め合い凸部２０，２１を有する天板２とを備えている。【選択図】図２
0003213958.tif 000002
【実用新案登録請求の範囲】
【請求項１】
上部材と該上部材を支える脚とヒーターを有し前記上枠の上面側に嵌め合い凹部を有するこたつ本体と、
下面側に前記嵌め合い凹部と協働してこたつ用掛け布団を上又は下、或いは上下に曲げるようにして挟む嵌め合い凸部を有する天板とを備える
布団止め構造を有するこたつ。
【請求項２】
上枠と該上枠を支える脚とヒーターを有し前記上枠に設けられ縦横方向の部材で枠組みされた中枠を有するこたつ本体と、
下面側に前記中枠の縦横方向の部材間の空間に対応し前記中枠の縦横方向の部材と協働してこたつ用掛け布団を上又は下、或いは上下に曲げるようにして挟む嵌め合い凸部を有する天板とを備える
布団止め構造を有するこたつ。
【請求項３】
中天板と該中天板を支える脚とヒーターを有し前記中天板の相対向する両端縁部に嵌め合い凹部を有するこたつ本体と、
下面側の相対向する両端縁部に前記嵌め合い凹部で形成される空間に対応し前記嵌め合い凹部と協働してこたつ用掛け布団を上又は下、或いは上下に曲げるようにして挟む嵌め合い凸部を有する天板とを備える
布団止め構造を有するこたつ。
【請求項４】
上部材と該上部材を支える脚とヒーターを有し前記上枠の上面側に嵌め合い凹部を有するこたつ本体と、
該こたつ本体に被せされているこたつ用掛け布団と、
下面側に前記嵌め合い凹部と協働して前記こたつ用掛け布団を上又は下、或いは上下に曲げるようにして挟む嵌め合い凸部を有する天板とを備える
布団止め構造を有するこたつ。
【請求項５】
上枠と該上枠を支える脚とヒーターを有し前記上枠に設けられ縦横方向の部材で枠組みされた中枠を有するこたつ本体と、
該こたつ本体に被せされているこたつ用掛け布団と、
下面側に前記中枠の縦横方向の部材間の空間に対応し前記中枠の縦横方向の部材と協働して前記こたつ用掛け布団を上又は下、或いは上下に曲げるようにして挟む嵌め合い凸部を有する天板とを備える
布団止め構造を有するこたつ。
【請求項６】
中天板と該中天板を支える脚とヒーターを有し前記中天板の相対向する両端縁部に嵌め合い凹部を有するこたつ本体と、
該こたつ本体に被せされているこたつ用掛け布団と、
下面側の相対向する両端縁部に前記嵌め合い凹部で形成される空間に対応し前記嵌め合い凹部と協働して前記こたつ用掛け布団を上又は下、或いは上下に曲げるようにして挟む嵌め合い凸部を有する天板とを備える
布団止め構造を有するこたつ。
【請求項７】
こたつ本体の上部材の上面に設けられた空間に対応する嵌め合い凸部を備える
こたつ用天板。
【請求項８】
ヒーターを含み相対位置にある一組の端辺の略中央に平面視で所定の幅、及び奥行で切り欠かれた一対の嵌め合い凹部が形成された長方形状かつ板状体の中天板、該中天板を支える脚を有するこたつ本体と、
該こたつ本体に覆設されたこたつ用掛け布団と、
該こたつ用掛け布団に載置されるとともに、外形が前記中天板の外形よりも所定に大きい長方形状の天板と、
該天板の相対位置にある一組の端縁に沿って所定の長さを有するとともに、前記天板の前記こたつ用掛け布団への接触面側に設けられ、前記嵌め合い凹部内に前記こたつ用掛け布団が入り込むように押圧する嵌め合い凸部と、を備える
布団止め構造を有するこたつ。
【考案の詳細な説明】
【技術分野】
【０００１】
本考案は、布団止め構造を有するこたつ及びこたつ用天板に関するものである。更に詳しくは、柄やサイズが豊富で使用者の嗜好に合わせやすい市販の普通のこたつ用掛け布団でも、こたつ本体に対し、ずれないように天板と共に止めることができる布団止め構造を有するこたつ及びこたつ用天板に関する。
【背景技術】
【０００２】
例えば櫓こたつは、上枠の四隅に脚を設けたこたつ本体と、上枠の上に載置される天板を有している。櫓こたつは、こたつとしてだけでなく単にテーブルとして使用できるが、冬期にこたつとして使用する場合は、まず、こたつ本体を覆うようにこたつ用掛け布団を掛け、更にその上に上枠の位置に合わせるようにして天板を載せる。
【０００３】
このような、こたつとしての使用においては、使用者がこたつ用掛け布団を引っ張ったり、天板を動かしたりして布団や天板がずれてしまうので、これを頻繁に直さなければならない煩わしさがある。この煩わしさを解消するための手段として、特許文献１に開示されているようなこたつ用掛け布団が提案されている。
【０００４】
特許文献１に開示されたこたつ用掛け布団は、天面布団部分、側面布団部分、及び接続布団部分からなり、天面布団部分に側面布団部分を縫着することによって固定手段挿通用開口を形成したものであり、固定手段挿通用開口を固定手段に対応させてこたつ用掛け布団を位置決めし、櫓こたつ本体にこたつ用掛け布団を載せた状態で、固定手段を連結することにより、櫓こたつ本体に、こたつ用掛け布団、及び天板を固定し、こたつ用掛け布団、及び天板が、櫓こたつ本体からずれ動かないようにしたものである。
【先行技術文献】
【特許文献】
【０００５】
【特許文献１】特開２００２−３４７５４号公報
【考案の概要】
【考案が解決しようとする課題】
【０００６】
しかしながら、上記従来のこたつ用掛け布団、及びそれを使用したこたつには、次のような課題があった。
すなわち、こたつ用掛け布団は、固定手段挿通用開口を設けた専用の構造であり、こたつ本体の上枠の大きさや形状の違い、或いは固定手段の構造の違い等、タイプの異なる多くのこたつに対応させようとすれば、全体のサイズや固定手段挿通用開口の位置を変えて作製した多くの種類をあらかじめ用意しなければならない。
【０００７】
必然として、こたつ用掛け布団の製造管理や商品管理も煩雑になり、柄やサイズ等を多種設定することも難しくなるため、使用者の嗜好に合わせる上で不利になる。
また、こたつに対するこたつ用掛け布団の着け外しが、固定手段の固定、及び解除の操作を伴うため煩雑であり、こたつ用掛け布団を外して掃除や洗濯をする際に面倒な手間がかかる嫌いがある。
【０００８】
本考案は、以上の点に鑑みて創案されたものであり、柄やサイズが豊富で使用者の嗜好に合わせやすい市販の普通のこたつ用掛け布団でも、こたつ本体に対し、ずれないように天板と共に止めることができ、しかも掃除や洗濯をする際のこたつ用掛け布団の着け外しも簡単にできる、布団止め構造を有するこたつ及びこたつ用天板を提供することを目的とする。
【課題を解決するための手段】
【０００９】
（１）本考案は、上部材と該上部材を支える脚とヒーターを有し前記上枠の上面側に嵌め合い凹部を有するこたつ本体と、下面側に前記嵌め合い凹部と協働してこたつ用掛け布団を上又は下、或いは上下に曲げるようにして挟む嵌め合い凸部を有する天板とを備える布団止め構造を有するこたつである。
【００１０】
（２）本考案は、上枠と該上枠を支える脚とヒーターを有し前記上枠に設けられ縦横方向の部材で枠組みされた中枠を有するこたつ本体と、下面側に前記中枠の縦横方向の部材間の空間に対応し前記中枠の縦横方向の部材と協働してこたつ用掛け布団を上又は下、或いは上下に曲げるようにして挟む嵌め合い凸部を有する天板とを備える布団止め構造を有するこたつである。
【００１１】
この場合、こたつ用掛け布団は、天板の嵌め合い凸部によって中枠の縦横方向の部材間の空間に押し込まれるようにして上下方向に曲がり、縦横方向の部材と嵌め合い凸部によって挟まれることで、こたつ用掛け布団と天板のずれを防止できる。
【００１２】
（３）本考案は、中天板と該中天板を支える脚とヒーターを有し前記中天板の相対向する両端縁部に嵌め合い凹部を有するこたつ本体と、下面側の相対向する両端縁部に前記嵌め合い凹部で形成される空間に対応し前記嵌め合い凹部と協働してこたつ用掛け布団を上又は下、或いは上下に曲げるようにして挟む嵌め合い凸部を有する天板とを備える布団止め構造を有するこたつである。
【００１３】
この場合、こたつ用掛け布団は、天板の嵌め合い凸部によって、嵌め合い凹部で形成される空間に押し込まれるようにして下に曲がり、嵌め合い凹部と嵌め合い凸部によって挟まれることで、こたつ用掛け布団と天板のずれを防止できる。
【００１４】
（４）本考案は、上部材と該上部材を支える脚とヒーターを有し前記上枠の上面側に嵌め合い凹部を有するこたつ本体と、該こたつ本体に被せされているこたつ用掛け布団と、下面側に前記嵌め合い凹部と協働して前記こたつ用掛け布団を上又は下、或いは上下に曲げるようにして挟む嵌め合い凸部を有する天板とを備える布団止め構造を有するこたつである。
【００１５】
（５）本考案は、上枠と該上枠を支える脚とヒーターを有し前記上枠に設けられ縦横方向の部材で枠組みされた中枠を有するこたつ本体と、該こたつ本体に被せされているこたつ用掛け布団と、下面側に前記中枠の縦横方向の部材間の空間に対応し前記中枠の縦横方向の部材と協働して前記こたつ用掛け布団を上又は下、或いは上下に曲げるようにして挟む嵌め合い凸部を有する天板とを備える布団止め構造を有するこたつである。
【００１６】
（６）本考案は、中天板と該中天板を支える脚とヒーターを有し前記中天板の相対向する両端縁部に嵌め合い凹部を有するこたつ本体と、該こたつ本体に被せされているこたつ用掛け布団と、下面側の相対向する両端縁部に前記嵌め合い凹部で形成される空間に対応し前記嵌め合い凹部と協働して前記こたつ用掛け布団を上又は下、或いは上下に曲げるようにして挟む嵌め合い凸部を有する天板とを備える布団止め構造を有するこたつである。
【００１７】
（７）本考案は、こたつ本体の上部材の上面に設けられた空間に対応する嵌め合い凸部を備えるこたつ用天板である。
【００１８】
この場合、こたつ本体の上部材が枠組みされているもの等、ごく一般的なこたつ本体と組み合わせて、こたつ用掛け布団のずれと、天板のずれを防止することができる。
【００１９】
本明細書及び実用新案登録請求の範囲にいう「嵌め合い凹部」、及び「嵌め合い凸部」は、それぞれ相対する部分に対してぴったり嵌まるものではなく、こたつ用掛け布団が上又は下、或いは上下に曲げるようにして挟まった状態で存在できる空間を介して嵌まる、という意味である。
【００２０】
嵌め合い凹部と嵌め合い凸部のそれぞれの数は特に限定するものではなく、適宜設定することができる。
また、こたつ本体の上部材の上面に設けられる空間とは、例えば開口部、貫通口、有底凹部等、要は天板側の嵌め合い凸部が、こたつ用掛け布団を挟んで嵌まることができる構造を含むものである。
【００２１】
（作用）
本考案の布団止め構造を有するこたつの作用を説明する。
布団止め構造を有するこたつは、床部に置いたこたつ本体の上にこたつ用掛け布団を被せ、その上に天板を載せて使用する。
【００２２】
天板を載せるときに、こたつ本体の上部材（又は上枠、中天板）の位置に合わせるようにして載せることで、上枠の嵌め合い凹部の空間と天板の嵌め合い凸部が対応し、嵌め合い凹部と嵌め合い凸部が協働してこたつ用掛け布団を上又は下、或いは上下に曲げるようにして挟むことができる。
【００２３】
これにより、こたつ用掛け布団と天板は、こたつを使用する使用者が布団を引っ張ったり、天板を押す等、多少の外力が作用した場合でも、上記のように挟まれたこたつ用掛け布団はずれにくく、天板も間に布団を介在させてはいるが、嵌め合い凸部が、嵌め合い凹部に嵌まっているのでずれにくい。
【００２４】
また、こたつの周りを掃除したり洗濯するためにこたつ用掛け布団の着け外しを行う場合も、天板を持ち上げて外すだけで簡単に行うことができる。なお、こたつ用掛け布団に従来のような穴を開ける専用の加工は不要なので、柄やサイズが豊富で使用者の嗜好に合わせやすい市販の普通のこたつ用掛け布団を使用することができる。
【考案の効果】
【００２５】
本考案は、柄やサイズが豊富で使用者の嗜好に合わせやすい市販の普通のこたつ用掛け布団でも、こたつ本体に対し、ずれないように天板と共に止めることができ、しかも掃除や洗濯をする際のこたつ用掛け布団の着け外しも簡単にできる、布団止め構造を有するこたつ及びこたつ用天板を提供することができる。
【図面の簡単な説明】
【００２６】
【図１】本考案の布団止め構造を有するこたつの第１実施の形態を示す分解斜視説明図である。
【図２】図１に示す布団止め構造を有するこたつの縦断面説明図である。
【図３】本考案の布団止め構造を有するこたつの第２実施の形態を示す分解斜視説明図である。
【図４】図３に示す布団止め構造を有するこたつの縦断面説明図である。
【考案を実施するための形態】
【００２７】
本考案を図面に示した実施の形態に基づき詳細に説明する。
図１、及び図２を参照する。
布団止め構造を有するこたつＡ１は、こたつ本体１と天板２、及びこたつ用掛け布団４で構成されている。なお、こたつ用掛け布団４を含めず、こたつ本体１と天板２のセットで布団止め構造を有するこたつとする場合もある。
【００２８】
こたつ本体１は、平面視で外形が長方形状となるように枠組みされた上枠１０を有している。上枠１０は、長方形状の外枠１１を有し、外枠１１の内側には、縦横方向の部材で井桁状に形成した中枠１２が、その上面が外枠１１の上面と面一となるように組み付けられている。中枠１２の中央の枠内には、電気ヒーター３が取り付けられている。そして、上枠１０の四隅には、角柱状の脚１５が外枠１１の上面と直角に取り付けられている。
【００２９】
外枠１１を構成している縦横方向の部材と、中枠１２を構成している縦横方向の部材により、それら各部材の間には、平面視で四角形状の空間（符号は一部省略）が形成されている。各空間のうち、電気ヒーター３に対し、上枠１０の短手方向に隣り合う、嵌め合い凹部となる空間１３、１４には、天板２を上枠１０の位置に合わせるように置いたときに、後述する嵌め合い凸部２０、２１が対応する（空間１３、１４に入る）ようになっている。
【００３０】
天板２は、長方形状であり、上記上枠１０の外形よりやや大きいサイズに形成されている。天板２の下面側（載置面側）の短手方向（幅方向ともいう）の両端寄りには、長手方向の中央に、長手側の端辺と平行に所要の長さの嵌め合い凸部２０、２１が固定されている。嵌め合い凸部２０、２１は、図２に示すように、使用する際に、上枠１０の枠部材１１１、１１２寄りに位置するようにしてある。
【００３１】
すなわち、嵌め合い凸部２０と枠部材１１１の間、及び嵌め合い凸部２１と枠部材１１２の間には、それぞれこたつ用掛け布団４が挟まる隙間１３０、１４０が形成されるようになっている。
なお、こたつ用掛け布団４は、こたつ本体１と天板２の間に挟まれるようにして配される。これについては、次の作用の項で詳しく説明する。
【００３２】
（作用）
図１、及び図２を参照して、布団止め構造を有するこたつＡ１の作用を説明する。
布団止め構造を有するこたつＡ１は、床部５に置いたこたつ本体１の上に、こたつ本体１全体を包むようにしてこたつ用掛け布団４を被せ、その上に天板２を載せて使用する。
【００３３】
天板２を載せるときには、こたつ本体１の上枠１０の位置に合わせるようにして載せることで、上枠１０の中枠１２の空間１３、１４と天板２の嵌め合い凸部２０、２１が対応する。これにより、図２に示すように、こたつ用掛け布団４の上部水平部の全体が、こたつ本体１の上枠１０と天板２に挟まれる。
【００３４】
それと共に、天板２の嵌め合い凸部２０、２１でこたつ用掛け布団４の上面側が下へ押されて、空間１３、１４に入り込み、更に隙間１３０、１４０を通るようにして、嵌め合い凸部２０と枠部材１１１、嵌め合い凸部２１と枠部材１１２でそれぞれ挟まれる。このように、嵌め合い凸部２０、２１と枠部材１１１、１１２、及び空間１３、１４が協働して、こたつ用掛け布団４を上下に曲げるようにして挟むことができる。
【００３５】
これにより、こたつ用掛け布団４と天板２は、こたつを使用する使用者がこたつ用掛け布団４を引っ張ったり、天板２を押す等、多少の外力が作用した場合でも、上記のように挟まれたこたつ用掛け布団４はずれにくい。また、天板２も、間にこたつ用掛け布団４を介在させてはいるが、嵌め合い凸部２０、２１が空間１３、１４を形成している外枠１０の枠部材１１１、１１２に嵌まっているのでずれにくい。
【００３６】
また、布団止め構造を有するこたつＡ１の周りを掃除したり洗濯するために、こたつ用掛け布団４の着け外しを行う場合も、天板を持ち上げて外すだけで簡単に行うことができる。なお、こたつ用掛け布団４に従来のような穴を開ける専用の加工は不要なので、柄やサイズが豊富で使用者の嗜好に合わせやすい市販の普通のこたつ用掛け布団を使用することができる利点もある。
【００３７】
図３、及び図４を参照する。
布団止め構造を有するこたつＡ２は、こたつ本体１ａと天板２ａ、及びこたつ用掛け布団４で構成されている。なお、こたつ用掛け布団４を含めず、こたつ本体１ａと天板２ａのセットで布団止め構造を有するこたつとする場合もある。
【００３８】
こたつ本体１ａは、平面視でほぼ長方形状に形成された中天板１６を有している。中天板１６の短手側の両端辺の中央には、所要の幅、及び奥行きを有する嵌め合い凹部１７、１８が形成されている。中天板１６の裏面側の中央には、電気ヒーター３が取り付けられている。また、中天板１６の四隅には、厚手の板状の脚１５が中天板１６と直角に取り付けられている。
【００３９】
嵌め合い凹部１７、１８の外側の空間（符号省略）には、天板２ａを中天板１６の位置に合わせるように置いたときに、後述する嵌め合い凸部２２、２３が対応する（空間に入る）ようになっている。
【００４０】
天板２ａは、長方形状であり、上記中天板１６の外形よりやや大きいサイズに形成されている。天板２ａの下面側（載置面側）の長手方向の両端部には、短手側の端辺と平行に所要の長さの嵌め合い凸部２２、２３が固定されている。嵌め合い凸部２２、２３は、図４に示すように、使用する際に、中天板１６の嵌め合い凹部１７、１８の外側の各空間に位置するようにしてある。
【００４１】
すなわち、嵌め合い凸部２２と嵌め合い凹部１７の間、及び嵌め合い凸部２３と嵌め合い凹部１８の間には、それぞれこたつ用掛け布団４が挟まる隙間１７０、１８０が形成されるようになっている。
なお、こたつ用掛け布団４は、こたつ本体１ａと天板２ａの間に挟まれるようにして配される。これについては、次の作用の項で詳しく説明する。
【００４２】
（作用）
図３、及び図４を参照して、布団止め構造を有するこたつＡ２の作用を説明する。
布団止め構造を有するこたつＡ２は、床部５に置いたこたつ本体１ａの上に、こたつ本体１ａ全体を包むようにしてこたつ用掛け布団４を被せ、その上に天板２ａを載せて使用する。
【００４３】
天板２ａを載せるときには、こたつ本体１ａの中天板１６の位置に合わせるようにして載せることで、中天板１６の嵌め合い凹部１７、１８の外側の空間に天板２ａの嵌め合い凸部２２、２３が対応する。これにより、図４に示すように、こたつ用掛け布団４の上部水平部の全体が、こたつ本体１ａの中天板１６と天板２ａに挟まれる。
【００４４】
それと共に、天板２ａの嵌め合い凸部２２、２３でこたつ用掛け布団４の上面側が下へ押されて、隙間１７０、１８０を通るようにして、嵌め合い凸部２２と嵌め合い凹部１７、嵌め合い凸部２３と嵌め合い凹部１８でそれぞれ挟まれる。このように、嵌め合い凸部２２、２３と嵌め合い凹部１７、１８、及び隙間１７０、１８０が協働して、こたつ用掛け布団４を下に曲げるようにして挟むことができる。
【００４５】
これにより、こたつ用掛け布団４と天板２ａは、こたつを使用する使用者がこたつ用掛け布団４を引っ張ったり、天板２ａを押す等、多少の外力が作用した場合でも、上記のように挟まれたこたつ用掛け布団４はずれにくい。また、天板２ａも、間にこたつ用掛け布団４を介在させてはいるが、嵌め合い凸部２２、２３が空間を形成している嵌め合い凹部１７、１８に嵌まっているのでずれにくい。
また、こたつ用掛け布団４の着け外しが簡単にできる点と、市販の普通のこたつ用掛け布団を使用することができる点は、上記布団止め構造を有するこたつＡ１と同様である。
【００４６】
本明細書で使用している用語と表現は、あくまでも説明上のものであって、なんら限定的なものではなく、本明細書に記述された特徴およびその一部と等価の用語や表現を除外する意図はない。また、本考案の技術思想の範囲内で、種々の変形が可能であるということは言うまでもない。
【符号の説明】
【００４７】
Ａ１  布団止め構造を有するこたつ
１  こたつ本体
１０  上枠
１１  外枠
１１１、１１２  枠部材
１２  中枠
１３、１４  空間
１３０、１４０  隙間
１５  脚
２  天板
２０、２１  嵌め合い凸部
３  電気ヒーター
４  こたつ用掛け布団
Ａ２  布団止め構造を有するこたつ
１ａ  こたつ本体
１６  中天板
１７、１８  嵌め合い凹部
１７０、１８０  隙間
２ａ  天板
２２、２３  嵌め合い凸部
【図１】
0003213958.tif 000003
【図２】
0003213958.tif 000004
【図３】
0003213958.tif 000005
【図４】
0003213958.tif 000006
【手続補正書】
【提出日】平成29年10月11日(2017.10.11)
【手続補正１】
【補正対象書類名】実用新案登録請求の範囲
【補正対象項目名】全文
【補正方法】変更
【補正の内容】
【実用新案登録請求の範囲】
【請求項１】
上部材と該上部材を支える脚とヒーターを有し前記上部材の上面側に嵌め合い凹部を有するこたつ本体と、
下面側に前記嵌め合い凹部と協働してこたつ用掛け布団を上又は下、或いは上下に曲げるようにして挟む嵌め合い凸部を有する天板とを備える
布団止め構造を有するこたつ。
【請求項２】
上枠と該上枠を支える脚とヒーターを有し前記上枠に設けられ縦横方向の部材で枠組みされた中枠を有するこたつ本体と、
下面側に前記中枠の縦横方向の部材間の空間に対応し前記中枠の縦横方向の部材と協働してこたつ用掛け布団を上又は下、或いは上下に曲げるようにして挟む嵌め合い凸部を有する天板とを備える
布団止め構造を有するこたつ。
【請求項３】
中天板と該中天板を支える脚とヒーターを有し前記中天板の相対向する両端縁部に嵌め合い凹部を有するこたつ本体と、
下面側の相対向する両端縁部に前記嵌め合い凹部で形成される空間に対応し前記嵌め合い凹部と協働してこたつ用掛け布団を上又は下、或いは上下に曲げるようにして挟む嵌め合い凸部を有する天板とを備える
布団止め構造を有するこたつ。
【請求項４】
上部材と該上部材を支える脚とヒーターを有し前記上部材の上面側に嵌め合い凹部を有するこたつ本体と、
該こたつ本体に被せされているこたつ用掛け布団と、
下面側に前記嵌め合い凹部と協働して前記こたつ用掛け布団を上又は下、或いは上下に曲げるようにして挟む嵌め合い凸部を有する天板とを備える
布団止め構造を有するこたつ。
【請求項５】
上枠と該上枠を支える脚とヒーターを有し前記上枠に設けられ縦横方向の部材で枠組みされた中枠を有するこたつ本体と、
該こたつ本体に被せされているこたつ用掛け布団と、
下面側に前記中枠の縦横方向の部材間の空間に対応し前記中枠の縦横方向の部材と協働して前記こたつ用掛け布団を上又は下、或いは上下に曲げるようにして挟む嵌め合い凸部を有する天板とを備える
布団止め構造を有するこたつ。
【請求項６】
中天板と該中天板を支える脚とヒーターを有し前記中天板の相対向する両端縁部に嵌め合い凹部を有するこたつ本体と、
該こたつ本体に被せされているこたつ用掛け布団と、
下面側の相対向する両端縁部に前記嵌め合い凹部で形成される空間に対応し前記嵌め合い凹部と協働して前記こたつ用掛け布団を上又は下、或いは上下に曲げるようにして挟む嵌め合い凸部を有する天板とを備える
布団止め構造を有するこたつ。
【請求項７】
こたつ本体の上部材の上面に設けられた空間に対応する嵌め合い凸部を備える
こたつ用天板。
【請求項８】
ヒーターを含み相対位置にある一組の端辺の略中央に平面視で所定の幅、及び奥行で切り欠かれた一対の嵌め合い凹部が形成された長方形状かつ板状体の中天板、該中天板を支える脚を有するこたつ本体と、
該こたつ本体に覆設されたこたつ用掛け布団と、
該こたつ用掛け布団に載置されるとともに、外形が前記中天板の外形よりも所定に大きい長方形状の天板と、
該天板の相対位置にある一組の端縁に沿って所定の長さを有するとともに、前記天板の前記こたつ用掛け布団への接触面側に設けられ、前記嵌め合い凹部内に前記こたつ用掛け布団が入り込むように押圧する嵌め合い凸部と、を備える
布団止め構造を有するこたつ。
【手続補正２】
【補正対象書類名】明細書
【補正対象項目名】０００９
【補正方法】変更
【補正の内容】
【０００９】
（１）本考案は、上部材と該上部材を支える脚とヒーターを有し前記上部材の上面側に嵌め合い凹部を有するこたつ本体と、下面側に前記嵌め合い凹部と協働してこたつ用掛け布団を上又は下、或いは上下に曲げるようにして挟む嵌め合い凸部を有する天板とを備える布団止め構造を有するこたつである。
【手続補正３】
【補正対象書類名】明細書
【補正対象項目名】００１４
【補正方法】変更
【補正の内容】
【００１４】
（４）本考案は、上部材と該上部材を支える脚とヒーターを有し前記上部材の上面側に嵌め合い凹部を有するこたつ本体と、該こたつ本体に被せされているこたつ用掛け布団と、下面側に前記嵌め合い凹部と協働して前記こたつ用掛け布団を上又は下、或いは上下に曲げるようにして挟む嵌め合い凸部を有する天板とを備える布団止め構造を有するこたつである。